(57)【要約】電子制御装置（１５）は、アクセルペダル（８）とブレーキペダル（１３）とが同時に操作されているときには、アクセルペダル（８）のみが操作されているときに比べて駆動力を低くする駆動力抑制処理を実行する。電子制御装置（１５）は、アクセルペダル（８）とブレーキペダル（１３）とが同時に操作されてから駆動力抑制処理を開始するまでの時間を、アクセルペダル（８）とブレーキペダル（１３）とが同時に操作された時点での車両速度が低いときほど短くする可変処理を実行する。
2014122725.tif 000002
【特許請求の範囲】
【請求項１】
アクセル操作部材とブレーキ操作部材とが同時に操作されているときには、アクセル操作部材のみが操作されているときに比べて原動機から出力される駆動力を低くする駆動力抑制処理を実行する制御部を備える車両の制御装置であって、
前記制御部は、アクセル操作部材とブレーキ操作部材とが同時に操作されてから前記駆動力抑制処理を開始するまでの時間を、アクセル操作部材とブレーキ操作部材とが同時に操作された時点での車両速度が低いときほど短くする可変処理を実行するように構成される
車両の制御装置。
【請求項２】
前記制御部は、アクセル操作部材とブレーキ操作部材とが同時に操作されてから所定のディレイ時間が経過した後に前記駆動力抑制処理を開始するように構成されるとともに、
前記可変処理として、前記車両速度が低いときほど前記ディレイ時間を短くする処理を実行するように構成される
請求項１に記載の車両の制御装置。
【請求項３】
前記制御部は、アクセル操作部材とブレーキ操作部材とが同時に操作されてから前記駆動力抑制処理を開始するまでの間に前記駆動力を徐々に低下させる徐変処理を行うように構成されるとともに、
前記可変処理として、前記車両速度が低いときほど前記徐変処理の実行中における単位時間当たりの駆動力の低下量を多くする処理を実行するように構成される
請求項１に記載の車両の制御装置。
【請求項４】
車間距離を計測する計測部を備えており、
前記制御部は、車間距離が所定値以上のときには、前記可変処理の実行を禁止し、アクセル操作部材とブレーキ操作部材とが同時に操作されてから前記駆動力抑制処理が開始されるまでの時間を、前記可変処理を実行したときに得られる最大時間以上の時間に設定するように構成される
請求項１〜３のいずれか１項に記載の車両の制御装置。
【請求項５】
車間距離を計測する計測部を備えており、
前記制御部は、車間距離が所定値以下のときには、前記可変処理の実行を禁止し、アクセル操作部材とブレーキ操作部材とが同時に操作されてから前記駆動力抑制処理が開始されるまでの時間を、前記可変処理を実行したときに得られる最小時間以下の時間に設定するように構成される
請求項１〜３のいずれか１項に記載の車両の制御装置。
【発明の詳細な説明】
【技術分野】
【０００１】
本発明は、車両の駆動力を制御する装置に関する。
【背景技術】
【０００２】
例えば特許文献１に記載されているように、車両の駆動力制御の一つとして、アクセル操作部材とブレーキ操作部材とが共に操作された場合には、アクセル操作部材のみが操作されている場合と比べて原動機から出力される駆動力を低下させる駆動力抑制処理を実行する制御装置が知られている。
【先行技術文献】
【特許文献】
【０００３】
【特許文献１】特開２０１０−３８０５１号公報
【発明の概要】
【発明が解決しようとする課題】
【０００４】
ところで、アクセル操作部材及びブレーキ操作部材の同時操作が行われた時点で直ちに駆動力抑制処理を実行すると、ドライバビリティに悪影響を与える可能性がある。【０００５】
例えば、アクセル操作部材及びブレーキ操作部材の同時操作が偶発的な操作であり、車両運転者の意図した操作ではない場合でも駆動力抑制処理が直ちに実行されてしまうと、車両運転者には減速する意志がないにもかかわらず車両は減速してしまい、ドライバビリティが悪化する。そこで、アクセル操作部材とブレーキ操作部材とが同時に操作されてから所定のディレイ時間が経過した後に駆動力抑制処理を開始するディレイ処理を実行する。そして、そのディレイ処理の実行中に、アクセル操作部材及びブレーキ操作部材の同時操作が解除されたときには、駆動力抑制処理の実行を禁止するようにすれば、アクセル操作部材及びブレーキ操作部材の同時操作が偶発的な操作であった場合の意図しない駆動力低下を抑えることができ、ドライバビリティの悪化を抑えることができる。【０００６】
また、アクセル操作部材及びブレーキ操作部材の同時操作が行われた時点で直ちに駆動力抑制処理を実行して駆動力を大きく低下させると、車両の減速度が急激に大きくなるため、この場合にもドライバビリティに悪影響を与える。そこで、アクセル操作部材及びブレーキ操作部材の同時操作が行われてから駆動力抑制処理を開始するまでの間において駆動力を徐々に低下させる徐変処理を行うようにすれば、駆動力の急激な低下が抑えられるため、車両減速度の急増によるドライバビリティの悪化を抑えることができる。【０００７】
ここで、上述したディレイ処理や徐変処理などを行うようにする、つまりアクセル操作部材及びブレーキ操作部材の同時操作が行われてからある程度の時間が経過した後に駆動力抑制処理を実行するようにすれば、駆動力抑制処理の実行に際してドライバビリティの悪化を抑えることができる。しかし、駆動力抑制処理の実行に先立って上記ディレイ処理や上記徐変処理等を行うと、アクセル操作部材及びブレーキ操作部材の同時操作が行われた時点で直ちに駆動力抑制処理を実行する場合と比較して、駆動力抑制処理の実行を開始するタイミングが遅くなるため、アクセル操作部材及びブレーキ操作部材の同時操作時において駆動力が十分に低減されるまでに要する時間が長くなる。そのため、アクセル操作部材及びブレーキ操作部材の同時操作が行われる場合には、ブレーキ操作部材のみが操作される通常のブレーキ操作時と比較して車両の制動距離が長くなりやすい。従って、アクセル操作部材及びブレーキ操作部材の同時操作時において運転者が予想している位置で車両を停止させるためには、通常のブレーキ操作時と比較して運転者はブレーキ操作部材の操作量を増やす必要があり、運転者のブレーキ操作が煩雑になる。【０００８】
この発明の目的は、アクセル及びブレーキの同時操作時に駆動力抑制処理を実行するに際して、運転者によるブレーキ操作を簡易にすることにある。
【課題を解決するための手段】
【０００９】
上記課題を解決する車両の制御装置は、アクセル操作部材とブレーキ操作部材とが同時に操作されているときには、アクセル操作部材のみが操作されているときに比べて原動機から出力される駆動力を低くする駆動力抑制処理を実行する制御部を備えている。そして、その制御部は、アクセル操作部材とブレーキ操作部材とが同時に操作されてから駆動力抑制処理を開始するまでの時間を、アクセル操作部材とブレーキ操作部材とが同時に操作された時点での車両速度が低いときほど短くする可変処理を実行するように構成される。【００１０】
ブレーキ操作部材のみが操作される通常のブレーキ操作による制動距離は、一般に、車両速度が低いときほど短いため、車両速度が低いときほど運転者のブレーキ操作量は少ない。そのため、駆動力抑制処理が実行されるときでも、車両速度が低いときほど、運転者によるブレーキ操作量が少なくなる可能性がある。ここで、上述したように、ドライバビリティを確保するために、アクセル操作部材とブレーキ操作部材とが同時に操作された時点からある程度の時間が経過した後に駆動力抑制処理を開始する場合には、ブレーキ操作部材のみが操作される通常のブレーキ操作時と比較して車両の制動距離が長くなりやすい。特に、ブレーキ操作量が少なくなる低車速領域ほど制動距離は長くなりやすく、アクセル操作部材とブレーキ操作部材とが同時に操作された時点での車両速度が低いときほど、運転者が予想している位置で車両を停止させるためには、ブレーキ操作量を増やす機会が多くなったり、ブレーキ操作量の増大量が多くなったりする。【００１１】
この点、同構成では、上記可変処理が実行されるため、アクセル操作部材とブレーキ操作部材とが同時に操作された時点での車両速度が低いときほど、駆動力抑制処理の実行が開始されるタイミングは早くなり、アクセル操作部材及びブレーキ操作部材の同時操作時において駆動力が十分に低減されるまでに要する時間は車両速度が低いときほど短くなる。従って、アクセル操作部材とブレーキ操作部材とが同時に操作された場合、車両速度が低いときほど車両の減速度はより早い時期に大きくなる。そのため、低車速領域において、運転者によるブレーキ操作量の増大を抑えながら、運転者が予想している位置で車両を停止させることができるようになる。このように同構成によれば、アクセル操作部材及びブレーキ操作部材の同時操作時に駆動力抑制処理を実行するに際して、運転者によるブレーキ操作が簡易になる。【００１２】
上記制御装置において、制御部は、アクセル操作部材とブレーキ操作部材とが同時に操作されてから所定のディレイ時間が経過した後に駆動力抑制処理を開始するように構成されるとともに、可変処理として、アクセル操作部材とブレーキ操作部材とが同時に操作された時点での車両速度が低いときほどディレイ時間を短くする処理を実行するように構成されることが好ましい。【００１３】
同構成では、アクセル操作部材とブレーキ操作部材とが同時に操作されてから所定のディレイ時間が経過した後に駆動力抑制処理を開始するようにしている。そして、アクセル操作部材とブレーキ操作部材とが同時に操作された時点での車両速度が低いときほどディレイ時間は短くされる。従って、アクセル操作部材とブレーキ操作部材とが同時に操作されてから駆動力抑制処理を開始するまでの時間を、アクセル操作部材とブレーキ操作部材とが同時に操作された時点での車両速度が低いときほど短くすることができる。【００１４】
上記制御装置において、制御部は、アクセル操作部材とブレーキ操作部材とが同時に操作されてから駆動力抑制処理を開始するまでの間に駆動力を徐々に低下させる徐変処理を行うように構成されるとともに、可変処理として、アクセル操作部材とブレーキ操作部材とが同時に操作された時点での車両速度が低いときほど徐変処理の実行中における単位時間当たりの駆動力の低下量を多くする処理を実行するように構成されることが好ましい。【００１５】
同構成では、アクセル操作部材とブレーキ操作部材とが同時に操作されてから駆動力抑制処理を開始するまでの間に駆動力を徐々に低下させる徐変処理を行うようにしている。こうした徐変処理を駆動力抑制処理の実行に先立って行うことにより、駆動力抑制処理の実行に伴う駆動力の急低下が抑えられる。ここで、徐変処理の実行に際し、駆動力抑制処理の開始に備えて駆動力を十分に低下させるまでに要する時間は、単位時間当たりの駆動力の低下量が多いほど短くなる。そこで、同構成では、アクセル操作部材とブレーキ操作部材とが同時に操作された時点での車両速度が低いときほど、徐変処理の実行中における単位時間当たりの駆動力の低下量は多くされる。従って、アクセル操作部材とブレーキ操作部材とが同時に操作されてから駆動力抑制処理を開始するまでの時間を、アクセル操作部材とブレーキ操作部材とが同時に操作された時点での車両速度が低いときほど短くすることができる。【００１６】
上記制御装置は、車間距離を計測する計測部を備えていてもよい。そして、制御部は、車間距離が所定値以上のときには、可変処理の実行を禁止し、アクセル操作部材とブレーキ操作部材とが同時に操作されてから駆動力抑制処理が開始されるまでの時間を、可変処理を実行したときに得られる最大時間以上の時間に設定するように構成されることが好ましい。【００１７】
自車両の走行方向に存在する他車両と自車両との距離である車間距離が所定値以上に離れており、運転者によるブレーキ操作に余裕があるときには、アクセル操作部材とブレーキ操作部材とが同時に操作されてから駆動力抑制処理が開始されるまでの時間をある程度長くして、ドライバビリティなどを優先させることが可能である。【００１８】
そこで、同構成では、車間距離が所定値以上のときには可変処理の実行を禁止する。そして、アクセル操作部材とブレーキ操作部材とが同時に操作されてから駆動力抑制処理が開始されるまでの時間を、上述した可変処理を実行したときに得られる最大時間以上の時間に設定する。従って、運転者によるブレーキ操作に余裕があるときには、アクセル操作部材とブレーキ操作部材とが同時に操作されてから駆動力抑制処理が開始されるまでの時間は、可変処理を実行したときに得られる最大時間以上に長い時間になる。そのため、駆動力抑制処理の実行に際して、運転者によるブレーキ操作に余裕があるときには、ドライバビリティ等を優先させることが可能になる。【００１９】
上記制御装置は、車間距離を計測する計測部を備えていてもよい。そして、制御部は、車間距離が所定値以下のときには、可変処理の実行を禁止し、アクセル操作部材とブレーキ操作部材とが同時に操作されてから駆動力抑制処理が開始されるまでの時間を、可変処理を実行したときに得られる最小時間以下の時間に設定するように構成されることが好ましい。【００２０】
自車両の走行方向に存在する他車両と自車両との距離である車間距離が所定値以下に接近しており、早急に車両の減速度を高める必要があるときには、アクセル操作部材とブレーキ操作部材とが同時に操作されてから駆動力抑制処理が開始されるまでの時間を極力短くして、ドライバビリティよりも車両の減速を優先させることが望ましい。【００２１】
そこで、同構成では、車間距離が所定値以下のときには可変処理の実行を禁止する。そして、アクセル操作部材とブレーキ操作部材とが同時に操作されてから駆動力抑制処理が開始されるまでの時間を、上述した可変処理を実行したときに得られる最小時間以下の時間に設定する。従って、車間距離が短く、早急に車両の減速度を高める必要があるときには、アクセル操作部材とブレーキ操作部材とが同時に操作されてから駆動力抑制処理が開始されるまでの時間は、可変処理を実行したときに得られる最小時間以下に短い時間になる。そのため、駆動力抑制処理の実行に際して、早急に車両の減速度を高める必要がある程度に車間距離が短いときには、車両の減速度を早期に高めることができるようになる。
【図面の簡単な説明】
【００２２】
【図１】車両の制御装置の第１実施形態におけるハイブリッド車両の構造を示す模式図。
【図２】同実施形態におけるブレーキオーバーライドシステムの制御概要を示すタイミングチャート。
【図３】同実施形態において、ブレーキオーバーライドシステムの処理手順を示すフローチャート。
【図４】同実施形態において車速及びディレイ時間の関係を示す概念図。
【図５】同実施形態において車速及び減少量の関係を示す概念図。
【図６】同実施形態によるディレイ処理時間及び徐変処理時間の変化を示すタイミングチャート。
【図７】第２実施形態におけるブレーキオーバーライドシステムの処理手順の一部を示すフローチャート。
【図８】第１及び第２実施形態の変形例におけるブレーキオーバーライドシステムの制御概要を示すタイミングチャート。
【図９】第１及び第２実施形態の変形例におけるブレーキオーバーライドシステムの制御概要を示すタイミングチャート。
【図１０】第１及び第２実施形態の変形例におけるブレーキオーバーライドシステムの制御概要を示すタイミングチャート。
【図１１】第１及び第２実施形態の変形例におけるブレーキオーバーライドシステムの制御概要を示すタイミングチャート。
【発明を実施するための形態】
【００２３】
（第１実施形態）
以下、車両の制御装置を、エンジン及びモータを原動機として搭載するハイブリッド車両の制御装置に具体化した第１実施形態について、図１〜図６を参照して説明する。
【００２４】
図１に示すハイブリッド車両において、エンジン１には、気筒内に空気を導入する吸気通路２０が設けられている。この吸気通路２０内には、吸入空気量を調量するスロットルバルブ２１が設けられており、このスロットルバルブ２１の開度調整を通じてエンジン１の出力が調整される。
【００２５】
エンジン１から出力された動力は、遊星歯車等からなる動力分割機構２により、同車両の駆動軸３に伝達される動力と第１モータジェネレータ４に伝達される動力とに分割される。また、車両の駆動軸３には、第２モータジェネレータ５から出力される動力も伝達される。そして、駆動軸３への動力の伝達により同駆動軸３に繋がる車輪１１が回転すると、車両が走行するようになる。また、車両には、同車両の減速時等に車輪１１の回転に対し制動をかけるブレーキ装置１２が搭載されている。
【００２６】
上記第１モータジェネレータ４は、主に発電機として機能するが、車両の運転状態によってはモータとしても機能する。また、上記第２モータジェネレータ５は、主にモータとして機能するが、車両の運転状態によっては発電機としても機能する。そして、車両には、バッテリ６と第１及び第２モータジェネレータ４，５との間での電力の入出力を制御するインバータ７が設けられている。このインバータ７は、例えば、主に発電機として機能する第１モータジェネレータ４での発電により得られる電力をバッテリ６に供給して同バッテリ６の充電を行うとともに、主にモータとして機能する第２モータジェネレータ５に対しバッテリ６からの電力供給を行う。
【００２７】
車両には、制御部として電子制御装置１５が設けられている。この電子制御装置１５は、上記各種機器の制御に係る演算処理を実行するＣＰＵ、その制御に必要なプログラムやデータの記憶されたＲＯＭ、ＣＰＵの演算結果等が一時記憶されるＲＡＭ、外部との間で信号を入力したり出力したりするための入力ポートや出力ポート等を備えている。
【００２８】
電子制御装置１５の入力ポートには、例えば以下に示す各種のセンサ等からの信号が入力される。
【００２９】
・車両の運転者によって操作されるアクセルペダル（アクセル操作部材）８の操作量、すなわちアクセル操作量ＡＣＣＰを検出するアクセルポジションセンサ９。
【００３０】
・車両速度（車速ＳＰ）を検出する車速センサ１０。
【００３１】
・車両の運転者によって操作されるブレーキペダル（ブレーキ操作部材）１３の操作量、すなわちブレーキ操作量Ｂを検出するブレーキセンサ１４。なお、ブレーキ操作量Ｂが大きくなるほどブレーキ装置１２による制動力は大きくなる。
【００３２】
・自車両の走行方向に存在する他車両と自車両との距離である車間距離Ｄを計測する計測部３０。なお、この計測部３０としては、例えばマイクロ波や超音波、あるいはレーザなどを使用するレーダ等を使用することができる。
【００３３】
電子制御装置１５の出力ポートには、エンジン１を運転するための各種機器の駆動回路、第１モータジェネレータ４の駆動回路、第２モータジェネレータ５の駆動回路、及びインバータ７の駆動回路等が接続されている。
【００３４】
電子制御装置１５は、車速ＳＰ及びアクセル操作量ＡＣＣＰといった機関運転状態に基づき、車両の目標駆動力Ｐを算出する。そして、電子制御装置１５は、算出された目標駆動力Ｐが得られるように、エンジン１から出力される駆動力や第２モータジェネレータ５から出力される駆動力を制御する。なお、こうしたエンジン１及び第２モータジェネレータ５の制御は、エネルギ消費を可能な限り抑えることを考慮して行われる。
【００３５】
また、電子制御装置１５は、車両の駆動力制御の一つとして、ブレーキオーバーライドシステムを備えている。このブレーキオーバーライドシステムは、アクセルペダル８とブレーキペダル１３とが同時に操作された場合、アクセルペダル８のみが操作されている場合と比べて、原動機から出力される駆動力を低下させる駆動力抑制処理を実行するシステムである。
【００３６】
図２に、ブレーキオーバーライドシステムの概要を示す。この図２に示すように、アクセル操作量ＡＣＣＰが予め定められたアクセル判定値αを超えており、かつブレーキ操作量Ｂが予め定められたブレーキ判定値βを超えているときには（時刻ｔ３以降）、電子制御装置１５は、アクセルペダル８とブレーキペダル１３とが同時に操作されていると判断する。
【００３７】
ここで、アクセルペダル８とブレーキペダル１３とが同時に操作されていると判断された時点で直ちに駆動力抑制処理を実行すると、ドライバビリティに悪影響を与える可能性がある。
【００３８】
例えば、アクセルペダル８及びブレーキペダル１３の同時操作が偶発的な操作であり、運転者の意図した操作ではない場合でも駆動力抑制処理が直ちに実行されてしまうと、運転者には減速する意志がないにもかかわらず車両は減速してしまい、ドライバビリティが悪化する。そこで、電子制御装置１５は、時刻ｔ３において、アクセルペダル８とブレーキペダル１３とが同時に操作されていると判断した場合、アクセルペダル８及びブレーキペダル１３の同時操作が、偶発的な操作ではなく、運転者の意図した操作であることを確認するための時間を確保する処理として、ディレイ処理を実行する。
【００３９】
このディレイ処理では、時刻ｔ３以降において、アクセル操作量ＡＣＣＰがアクセル判定値αを超えており、かつブレーキ操作量Ｂがブレーキ判定値βを超えている時間、つまりアクセルペダル８及びブレーキペダル１３が共に操作されている継続時間ＫＴが計測される。そして、その計測された継続時間ＫＴが予め定められたディレイ時間ＤＬに達すると（時刻ｔ４）、電子制御装置１５は、アクセルペダル８及びブレーキペダル１３の同時操作が、偶発的な操作ではなく運転者の意図した操作であると判定し、駆動力抑制処理の実行条件が成立したと判断する。一方、ディレイ時間ＤＬに達する前に継続時間ＫＴの計測が中止されたとき、つまりディレイ処理の実行中において、アクセル操作量ＡＣＣＰがアクセル判定値α以下になった場合や、ブレーキ操作量Ｂがブレーキ判定値β以下になった場合には、アクセルペダル８及びブレーキペダル１３の同時操作が偶発的な操作であると判定し、駆動力抑制処理の実行条件は不成立とされる。
【００４０】
こうした判定を行うディレイ処理の実行により、アクセルペダル８及びブレーキペダル１３の同時操作が偶発的な操作であった場合の意図しない駆動力低下を抑えることができ、ドライバビリティの悪化が抑えられる。
【００４１】
他方、アクセルペダル８及びブレーキペダル１３の同時操作が行われた時点で直ちに駆動力抑制処理を実行して駆動力を大きく低下させると、車両の減速度が急激に大きくなるため、この場合にもドライバビリティに悪影響を与える。そこで、電子制御装置１５は、アクセルペダル８及びブレーキペダル１３の同時操作が行われてから駆動力抑制処理を開始するまでの間において駆動力を徐々に低下させる徐変処理を行う。この徐変処理では、時刻ｔ４において、駆動力抑制処理の実行条件が成立したと判断されると、時刻ｔ４における駆動力、つまり駆動力抑制処理を開始する前の駆動力が、駆動力抑制処理によって実現される低い駆動力に向けて、徐々に低下される。より詳細には、時刻ｔ４において設定されている目標駆動力Ｐから予め定められた減少量ＲＥが所定時間毎に繰り返し減算されることにより、車両の実際の駆動力は徐々に低下される。そして、目標駆動力Ｐが駆動力抑制処理にて設定される駆動力制限値ＰＬに達すると（時刻ｔ５）、駆動力の徐変処理は終了される。このようにアクセルペダル８及びブレーキペダル１３の同時操作が行われてから駆動力抑制処理が開始されるまでの間において、駆動力を徐々に低下させる徐変処理が行われる、つまり駆動力抑制処理の実行に先立ってそうした徐変処理を実行するにより、駆動力の急激な低下が抑えられ、車両減速度の急増によるドライバビリティの悪化が抑えられる。
【００４２】
そして、時刻ｔ５において徐変処理が終了すると、ブレーキ操作を優先させるための駆動力抑制処理が実行される。この駆動力抑制処理では、駆動力制限値ＰＬが設定されることにより駆動力が制限される。この駆動力制限値ＰＬは、目標駆動力Ｐの上限値であり、算出された目標駆動力Ｐが駆動力制限値ＰＬを超えている場合には、目標駆動力Ｐとして駆動力制限値ＰＬが設定される。これにより駆動力抑制処理の実行中は、車両の駆動力が駆動力制限値ＰＬ以下に制限される。なお、駆動力制限値ＰＬの値は、アクセルペダル８及びブレーキペダル１３の同時操作時において、車両の駆動力がブレーキ装置１２の制動力に対して十分に小さくなる程度の値が設定されており、これによりアクセルペダル８及びブレーキペダル１３の同時操作時であってもブレーキ操作が優先されるようになる。
【００４３】
ところで、駆動力抑制処理の実行に先立って上述したディレイ処理や徐変処理を行うと、アクセルペダル８及びブレーキペダル１３の同時操作が行われた時点で直ちに駆動力抑制処理を実行する場合と比較して、駆動力抑制処理の実行を開始するタイミングが遅くなるため、アクセルペダル８及びブレーキペダル１３の同時操作時において駆動力が十分に低減されるまでに要する時間が長くなる。そのため、アクセルペダル８及びブレーキペダル１３の同時操作が行われる場合には、ブレーキペダル１３のみが操作される通常のブレーキ操作時と比較して車両の制動距離が長くなりやすい。従って、アクセルペダル８及びブレーキペダル１３の同時操作時において運転者が予想している位置で車両を停止させるためには、通常のブレーキ操作時と比較して運転者はブレーキペダル１３の操作量を増やす必要があり、運転者のブレーキ操作が煩雑になる。
【００４４】
そこで、本実施形態では、アクセルペダル８及びブレーキペダル１３の同時操作時に駆動力抑制処理を実行するに際して、運転者によるブレーキ操作を簡易にするために、ブレーキオーバーライドシステムにおける処理手順として、図３に示す処理を行うようにしている。
【００４５】
図３に示すように、電子制御装置１５は、まずアクセル操作量ＡＣＣＰがアクセル判定値αを超えており、かつブレーキ操作量Ｂがブレーキ判定値βを超えているか否かを判定する（Ｓ１００）。そして、ステップＳ１００にて否定判定されるときには（Ｓ１００：ＮＯ）、電子制御装置１５は、本処理を一旦終了し、次の実行周期で再びステップＳ１００の処理を実行する。
【００４６】
ステップＳ１００にて肯定判定されるときには、電子制御装置１５は、アクセルペダル８とブレーキペダル１３とが同時に操作された時点での車速ＳＰ、より厳密にはアクセル操作量ＡＣＣＰがアクセル判定値αを超えており、かつブレーキ操作量Ｂがブレーキ判定値βを超えているとの条件が成立した時点での車速ＳＰを読み込む（Ｓ１１０）。
【００４７】
次に、電子制御装置１５は、ステップＳ１１０で読み込んだ車速ＳＰに基づき、上述したディレイ処理でのディレイ時間ＤＬと、徐変処理の実行中における単位時間当たりの駆動力の低下量であって目標駆動力Ｐから減算される上記減少量ＲＥとを設定する（Ｓ１２０）。なお、このステップＳ１２０の処理は、上記可変処理に相当する。
【００４８】
図４に示すように、ディレイ時間ＤＬは、ステップＳ１１０で読み込んだ車速ＳＰが低いときほど短い時間となるように設定される。
【００４９】
図５に示すように、減少量ＲＥは、ステップＳ１１０で読み込んだ車速ＳＰが低いときほど大きい値となるように設定される。
【００５０】
次に、電子制御装置１５は、ステップＳ１２０で設定されたディレイ時間ＤＬが経過したか否か、つまり上記継続時間ＫＴが、ステップＳ１２０で設定されたディレイ時間ＤＬに達したか否かを判定する（Ｓ１３０）。そして、ディレイ時間ＤＬが経過していないときには（Ｓ１３０：ＮＯ）、ディレイ時間ＤＬが経過するまで、ステップＳ１３０の処理を繰り返し実行する。なお、ステップＳ１３０の処理を繰り返し実行しているときに、上記継続時間ＫＴの計測が中止されたときには、電子制御装置１５は、ステップＳ１００での肯定判定が偶発的な操作によるものであると判断し、駆動力抑制処理の実行条件を不成立とする。
【００５１】
一方、ディレイ時間ＤＬが経過したときには（Ｓ１３０：ＹＥＳ）、電子制御装置１５は、駆動力抑制処理の実行条件が成立したと判断し、上述した目標駆動力Ｐの徐変処理を実行する（Ｓ１４０）。このステップＳ１４０では、現在設定されている目標駆動力Ｐから、上記ステップＳ１２０で設定された減少量ＲＥが減算されることにより、目標駆動力Ｐが更新される。
【００５２】
次に、電子制御装置１５は、ステップＳ１４０で更新された目標駆動力Ｐが、上述した駆動力制限値ＰＬ以下であるか否かを判定する（Ｓ１５０）。そして、目標駆動力Ｐが駆動力制限値ＰＬを超えているときには（Ｓ１５０：ＮＯ）、電子制御装置１５は、目標駆動力Ｐが基駆動力制限値ＰＬ以下になるまで、ステップＳ１４０の処理、つまり目標駆動力Ｐの徐変処理を繰り返し実行する。
【００５３】
一方、目標駆動力Ｐが駆動力制限値ＰＬ以下のときには（Ｓ１５０：ＹＥＳ）、電子制御装置１５は、目標駆動力Ｐの徐変処理を終了する（Ｓ１６０）。
【００５４】
次に、電子制御装置１５は、駆動力制限値ＰＬによる上記駆動力抑制処理を実行する（Ｓ１７０）。
【００５５】
次に、電子制御装置１５は、駆動力抑制処理の中止条件が成立したか否かを判定する（Ｓ１８０）。この中止条件としては、駆動力抑制処理を実行する必要がない状況になったか否かを判定することが可能な条件が設定されている。例えば、中止条件として、アクセル操作量ＡＣＣＰが「０」になった場合や、ブレーキ操作量Ｂが「０」になった場合などが挙げられる。
【００５６】
そして、駆動力抑制処理の中止条件が成立していないときには（Ｓ１８０：ＮＯ）、ステップＳ１７０及びステップＳ１８０の各処理が順次行われる。
【００５７】
一方、駆動力抑制処理の中止条件が成立しているときには（Ｓ１８０：ＹＥＳ）、電子制御装置１５は、駆動力抑制処理の実行を終了する、つまり駆動力制限値ＰＬによる目標駆動力Ｐの制限を終了して（Ｓ１９０）、本処理を終了する。
【００５８】
次に、本実施形態におけるブレーキオーバーライドシステムの作用を説明する。
【００５９】
ブレーキペダル１３のみが操作される通常のブレーキ操作による制動距離は、一般に、車速ＳＰが低いときほど短いため、車速ＳＰが低いときほど運転者のブレーキ操作量は少ない。そのため、駆動力抑制処理が実行されるときでも、車速ＳＰが低いときほど、運転者によるブレーキ操作量が少なくなる可能性がある。ここで、上述したように、本実施形態では、ドライバビリティを確保するために、アクセルペダル８とブレーキペダル１３とが同時に操作された時点からある程度の時間が経過した後、つまり上記ディレイ処理と徐変処理とを実行した後に駆動力抑制処理を実行するようにしている。
【００６０】
このようにアクセルペダル８とブレーキペダル１３とが同時に操作された時点からある程度の時間が経過した後に駆動力抑制処理を開始する場合には、ブレーキペダル１３のみが操作される通常のブレーキ操作時と比較して車両の制動距離が長くなりやすい。特に、ブレーキ操作量が少なくなる低車速領域ほど制動距離は長くなりやすく、アクセルペダル８とブレーキペダル１３とが同時に操作された時点での車速ＳＰが低いときほど、運転者が予想している位置で車両を停止させるためには、ブレーキ操作量を増やす機会が多くなったり、ブレーキ操作量の増大量が多くなったりする。
【００６１】
この点、本実施形態では、ディレイ時間ＤＬ及び減少量ＲＥを車速ＳＰに基づいて可変設定する上記可変処理が実行される。
【００６２】
この可変処理では、アクセルペダル８とブレーキペダル１３とが同時に操作された時点での車速ＳＰが低いときほどディレイ時間ＤＬは短くされる。
【００６３】
図６に実線で示すように、アクセルペダル８とブレーキペダル１３とが同時に操作された時点での車速ＳＰが低いときには、図６に二点鎖線で示すように、アクセルペダル８とブレーキペダル１３とが同時に操作された時点での車速ＳＰが高いときに比べて、ディレイ時間ＤＬは短くされる。そのため、より早い時期に徐変処理が開始されるようになる（時刻ｔ４）。従って、車速ＳＰが低いときには、車速ＳＰが高いときに比べてより早い時期に徐変処理が終了するようになり（時刻ｔ５）、その結果、駆動力抑制処理はより早い時期に開始されるようになる（時刻ｔ５）。このようにアクセルペダル８とブレーキペダル１３とが同時に操作された時点での車速ＳＰが低いときほどディレイ時間ＤＬは短くされる。そのため、アクセルペダル８とブレーキペダル１３とが同時に操作されてから駆動力抑制処理が開始されるまでの時間は、アクセルペダル８とブレーキペダル１３とが同時に操作された時点での車速ＳＰが低いときほど短くなる。
【００６４】
また、徐変処理の実行に際し、駆動力抑制処理の開始に備えて駆動力を十分に低下させるまでに要する時間、つまり徐変処理の開始前における目標駆動力Ｐが駆動力制限値ＰＬにまで低下するのに要する時間は、減少量ＲＥが多いほど短くなる。そこで、ステップＳ１２０での上記可変処理では、アクセルペダル８とブレーキペダル１３とが同時に操作された時点での車速ＳＰが低いときほど減少量ＲＥは多くなるように可変設定される。
【００６５】
先の図６に実線で示すように、アクセルペダル８とブレーキペダル１３とが同時に操作された時点での車速ＳＰが低いときには、図６に二点鎖線で示すように、アクセルペダル８とブレーキペダル１３とが同時に操作された時点での車速ＳＰが高いときに比べて、減少量ＲＥは多くされるため、より早い時期に徐変処理が終了するようになる（時刻ｔ５）。従って、車速ＳＰが低いときには、車速ＳＰが高いときに比べてより早い時期に駆動力抑制処理が開始されるようになる（時刻ｔ５）。このようにアクセルペダル８とブレーキペダル１３とが同時に操作された時点での車速ＳＰが低いときほど減少量ＲＥは多くされるため、アクセルペダル８とブレーキペダル１３とが同時に操作されてから駆動力抑制処理が開始されるまでの時間は、アクセルペダル８とブレーキペダル１３とが同時に操作された時点での車速ＳＰが低いときほど短くなる。
【００６６】
このように上記可変処理の実行により、アクセルペダル８とブレーキペダル１３とが同時に操作された時点での車速ＳＰが低いときほど、駆動力抑制処理の実行が開始されるタイミングは早くなるため、アクセルペダル８及びブレーキペダル１３の同時操作時において駆動力が十分に低減されるまでに要する時間は車速ＳＰが低いときほど短くなる。従って、アクセルペダル８とブレーキペダル１３とが同時に操作された場合、車速ＳＰが低いときほど車両の減速度はより早い時期に大きくなる。そのため、低車速領域において、運転者によるブレーキ操作量の増大を抑えながら、運転者が予想している位置で車両を停止させることができるようになり、アクセルペダル８及びブレーキペダル１３の同時操作時に駆動力抑制処理を実行するに際して、運転者によるブレーキ操作が簡易になる。
【００６７】
ちなみに、車速ＳＰが高いときには、車速ＳＰが低いときに比較して、制動距離が長くなることを運転者は認識している。従って、車速ＳＰが高いときには、車速ＳＰが低いときに比較して、運転者のブレーキ操作量は最初から大きくされることが多い。また、減速途中においてブレーキ操作量を増大させるつもりでブレーキペダル１３を操作していることも多い。そのため、車速ＳＰが高いときには、車速ＳＰが低いときに比較して運転者がブレーキペダル１３の操作を煩雑であると感じる機会は少ない。この点、本実施形態によれば、車速ＳＰが高いときに設定されるディレイ時間ＤＬは、車速ＳＰが低いときに設定されるディレイ時間ＤＬよりも長くされる。従って、アクセルペダル８及びブレーキペダル１３の同時操作が偶発的な操作であるのか、運転者の意図した操作であるのかを判定する時間を十分に確保することができ、そうした判定精度が高まるようになる。そのため、アクセルペダル８及びブレーキペダル１３の同時操作が偶発的な操作であった場合の意図しない駆動力低下をより確実に抑えることができ、ドライバビリティの悪化が抑えられるようになる。
【００６８】
また、本実施形態によれば、車速ＳＰが高いときに設定される減少量ＲＥは、車速ＳＰが低いときに設定される減少量ＲＥよりも少なくされる。従って、車速ＳＰが高いときほど、徐変処理の実行中における駆動力の低下速度は遅くなる。そのため、車速ＳＰが高いときほど駆動力の急速な変化によるドライバビリティの悪化を抑えることができる。
【００６９】
以上説明したように、本実施形態によれば、以下の効果を得ることができる。
【００７０】
（１）アクセルペダル８とブレーキペダル１３とが同時に操作されてから駆動力抑制処理を開始するまでの時間を、アクセルペダル８とブレーキペダル１３とが同時に操作された時点での車速ＳＰが低いときほど短くする可変処理を実行するようにしている。従って、アクセルペダル８とブレーキペダル１３とが同時に操作された場合、車速ＳＰが低いときほど車両の減速度はより早い時期に大きくなる。そのため、低車速領域において、運転者によるブレーキ操作量の増大を抑えながら、運転者が予想している位置で車両を停止させることができるようになる。従って、アクセルペダル８及びブレーキペダル１３の同時操作時に駆動力抑制処理を実行するに際して、運転者によるブレーキ操作が簡易になる。
【００７１】
（２）アクセルペダル８とブレーキペダル１３とが同時に操作されてからディレイ時間ＤＬが経過した後に駆動力抑制処理を開始するようにしている。そして上記可変処理として、アクセルペダル８とブレーキペダル１３とが同時に操作された時点での車速ＳＰが低いときほどディレイ時間ＤＬを短くする処理を実行している。従って、アクセルペダル８とブレーキペダル１３とが同時に操作されてから駆動力抑制処理を開始するまでの時間を、アクセルペダル８とブレーキペダル１３とが同時に操作された時点での車速ＳＰが低いときほど短くする上記可変処理を確実に実行することができる。
【００７２】
（３）アクセルペダル８とブレーキペダル１３とが同時に操作されてから駆動力抑制処理を開始するまでの間に駆動力を徐々に低下させる徐変処理を行うようにしている。そして、上記可変処理として、アクセルペダル８とブレーキペダル１３とが同時に操作された時点での車速ＳＰが低いときほど減少量ＲＥ（徐変処理の実行中における単位時間当たりの駆動力の低下量）を多くする処理を実行している。従って、アクセルペダル８とブレーキペダル１３とが同時に操作されてから駆動力抑制処理を開始するまでの時間を、アクセルペダル８とブレーキペダル１３とが同時に操作された時点での車速ＳＰが低いときほど短くする上記可変処理を確実に実行することができる。
（第２実施形態）
次に、車両の制御装置を具体化した第２実施形態について、図７を参照しつつ説明する。
【００７３】
本実施形態では、ブレーキオーバーライドシステムの実行に際して車間距離Ｄも考慮するようにしており、先の図３に示した一連の処理手順の一部を変更している。以下、そうした変更点を中心にして、本実施形態における車両の制御装置を説明する。
【００７４】
図７に示すように、電子制御装置１５は、まずアクセル操作量ＡＣＣＰがアクセル判定値αを超えており、かつブレーキ操作量Ｂがブレーキ判定値βを超えているか否かを判定する（Ｓ１００）。そして、ステップＳ１００にて否定判定されるときには（Ｓ１００：ＮＯ）、電子制御装置１５は、本処理を一旦終了し、次の実行周期で再びステップＳ１００の処理を実行する。
【００７５】
ステップＳ１００にて肯定判定されるときには、電子制御装置１５は、アクセルペダル８とブレーキペダル１３とが同時に操作された時点での車速ＳＰ及び車間距離Ｄを読み込む（Ｓ２１０）。
【００７６】
次に、電子制御装置１５は、ステップＳ２１０で読み込んだ車間距離Ｄが第１判定値Ｄ１以上であるか否かを判定する（Ｓ２２０）。この第１判定値Ｄ１としては、自車両の走行方向に存在する他車両と自車両との距離が十分に離れており、運転者によるブレーキ操作に十分な余裕があると判断できる程度の距離が設定されている。
【００７７】
そして、車間距離Ｄが第１判定値Ｄ１以上であるときには（Ｓ２２０：ＹＥＳ）、電子制御装置１５は、ディレイ時間ＤＬとして最大ディレイ時間ＤＬｍａｘを設定するとともに、減少量ＲＥとして最小減少量ＲＥｍｉｎを設定する（Ｓ２３０）。そして、電子制御装置１５は、先の図３に示したステップＳ１３０以降の処理、つまりディレイ処理、徐変処理、及び駆動力抑制処理を順次実行する。
【００７８】
最大ディレイ時間ＤＬｍａｘは、予め設定されている固定値であり、少なくとも上記可変処理により可変設定されるディレイ時間ＤＬの最大値以上の時間に設定されている。また、最小減少量ＲＥｍｉｎも、予め設定されている固定値であり、少なくとも上記可変処理により可変設定される減少量ＲＥの最小値以下の値に設定されている。
【００７９】
このように、車間距離Ｄが第１判定値Ｄ１以上であるときには、車速ＳＰに基づくディレイ時間ＤＬ及び減少量ＲＥの可変設定が禁止される、つまり車速ＳＰに基づく上記可変処理の実行が禁止される。そして、ディレイ時間ＤＬには予め用意された最大ディレイ時間ＤＬｍａｘが設定されるとともに、減少量ＲＥには予め用意された最小減少量ＲＥｍｉｎが設定される。
【００８０】
ステップＳ２２０にて、車間距離Ｄが第１判定値Ｄ１よりも短いと判定されるときには（Ｓ２２０：ＮＯ）、電子制御装置１５は、車間距離Ｄが第２判定値Ｄ２以下であるか否かを判定する（Ｓ２４０）。この第２判定値Ｄ２は、第１判定値Ｄ１よりも短い距離であって、アクセルペダル８とブレーキペダル１３との同時操作時において、早急に車両の減速度を高める必要がある程度に短い車間距離が設定されている。
【００８１】
そして、車間距離Ｄが第２判定値Ｄ２以下であるときには（Ｓ２４０：ＹＥＳ）、電子制御装置１５は、ディレイ時間ＤＬとして最小ディレイ時間ＤＬｍｉｎを設定するとともに、減少量ＲＥとして最大減少量ＲＥｍａｘを設定する（Ｓ２５０）。そして、電子制御装置１５は、先の図３に示したステップＳ１３０以降の処理、つまりディレイ処理、徐変処理、及び駆動力抑制処理を順次実行する。
【００８２】
最小ディレイ時間ＤＬｍｉｎは、予め設定されている固定値であり、少なくとも上記可変処理により可変設定されるディレイ時間ＤＬの最小値以下の時間に設定されている。また、最大減少量ＲＥｍａｘも、予め設定されている固定値であり、少なくとも上記可変処理により可変設定される減少量ＲＥの最大値以上の値に設定されている。
【００８３】
このように、車間距離Ｄが第２判定値Ｄ２以下であるときには、車速ＳＰに基づくディレイ時間ＤＬ及び減少量ＲＥの可変設定が禁止される、つまり車速ＳＰに基づく上記可変処理の実行が禁止される。そして、ディレイ時間ＤＬには予め用意された最小ディレイ時間ＤＬｍｉｎが設定されるとともに、減少量ＲＥには予め用意された最大減少量ＲＥｍａｘが設定される。
【００８４】
ステップＳ２４０にて、車間距離Ｄが第２判定値Ｄ２よりも長いと判定されるとき、つまり車間距離Ｄが第１判定値Ｄ１と第２判定値Ｄ２との間の距離になっているときには（Ｓ２４０：ＮＯ）、電子制御装置１５は、先の図３に示したステップＳ１２０の処理、つまりアクセルペダル８とブレーキペダル１３とが同時に操作された時点での車速ＳＰに基づいてディレイ時間ＤＬ及び減少量ＲＥを可変設定する上記可変処理を実行する。そして、先の図３に示したステップＳ１３０以降の処理、つまりディレイ処理、徐変処理、及び駆動力抑制処理を順次実行する。
【００８５】
次に、本実施形態におけるブレーキオーバーライドシステムの作用を説明する。
【００８６】
自車両の走行方向に存在する他車両と自車両との距離が十分に離れており、運転者によるブレーキ操作に余裕があるときには、アクセルペダル８とブレーキペダル１３とが同時に操作されてから駆動力抑制処理が開始されるまでの時間をある程度長くして、上記ディレイ処理や徐変処理によるドライバビリティの確保を優先させることが可能である。
【００８７】
そこで、本実施形態では、車間距離Ｄが第１判定値Ｄ１以上であって自車両と他車両とが十分に離れているときには、上述した可変処理の実行を禁止する。そして、アクセルペダル８とブレーキペダル１３とが同時に操作されてから駆動力抑制処理が開始されるまでの時間は、上述した可変処理を実行したときに得られる最大時間以上の長い時間に設定される。より詳細には、ディレイ処理のディレイ時間ＤＬとして上記最大ディレイ時間ＤＬｍａｘが設定され、駆動力の徐変処理における減少量ＲＥとして上記最小減少量ＲＥｍｉｎが設定される。
【００８８】
このようにしてディレイ時間ＤＬが長くされると、アクセルペダル８及びブレーキペダル１３の同時操作が偶発的な操作であるのか、運転者の意図した操作であるのかを判定する時間を十分に確保することができ、そうした判定精度が高まるようになる。そのため、アクセルペダル８及びブレーキペダル１３の同時操作が偶発的な操作であった場合の意図しない駆動力低下をより確実に抑えることができ、ドライバビリティの悪化が抑えられるようになる。また、減少量ＲＥが小さくされると、徐変処理の実行中における駆動力の低下速度は遅くなる。そのため駆動力の急速な変化によるドライバビリティの悪化を抑えることができる。従って、駆動力抑制処理の実行に際して、運転者によるブレーキ操作に余裕があるときには、ドライバビリティ等を優先させることが可能になる。
【００８９】
一方、自車両の走行方向に存在する他車両と自車両とが接近しており、早急に車両の減速度を高める必要があるときには、アクセルペダル８及びブレーキペダル１３が同時に操作されてから駆動力抑制処理が開始されるまでの時間を極力短くして、ドライバビリティよりも車両の減速を優先させることが望ましい。
【００９０】
そこで、本実施形態では、車間距離Ｄが第２判定値Ｄ２以下であって、自車両と他車両とが接近しているときには、可変処理の実行を禁止する。そして、アクセルペダル８及びブレーキペダル１３とが同時に操作されてから駆動力抑制処理が開始されるまでの時間は、上述した可変処理を実行したときに得られる最小時間以下の短い時間に設定される。より詳細には、ディレイ処理のディレイ時間ＤＬとして上記最小ディレイ時間ＤＬｍｉｎが設定され、駆動力の徐変処理における減少量ＲＥとして上記最大減少量ＲＥｍａｘが設定される。従って、駆動力抑制処理の実行に際して、早急に車両の減速度を高める必要がある程度に車間距離が短いときには、車両の減速度を早期に高めることができるようになる。
【００９１】
以上説明したように、本実施形態によれば、上記（１）〜（３）の効果に加えて、以下の効果も得ることができる。
【００９２】
（４）車間距離Ｄが第１判定値Ｄ以上のときには、車速ＳＰに基づくディレイ時間ＤＬ及び減少量ＲＥの可変処理を禁止する。そして、アクセルペダル８及びブレーキペダル１３とが同時に操作されてから駆動力抑制処理が開始されるまでの時間は、上記可変処理を実行したときに得られる最大時間以上の時間に設定される。従って、駆動力抑制処理の実行に際して、運転者によるブレーキ操作に余裕があるときには、ドライバビリティを優先させることができる。
【００９３】
（５）車間距離Ｄが第２判定値以下のときには、車速ＳＰに基づくディレイ時間ＤＬ及び減少量ＲＥの可変処理を禁止する。そして、アクセルペダル８及びブレーキペダル１３とが同時に操作されてから駆動力抑制処理が開始されるまでの時間は、上記可変処理を実行したときに得られる最小時間以下の時間に設定される。従って、駆動力抑制処理の実行に際して、早急に車両の減速度を高める必要がある程度に車間距離Ｄが短いときには、車両の減速度を早期に高めることができるようになる。
【００９４】
なお、上記各実施形態は、次のように変更して実施することもできる。
【００９５】
・図８に示すように、アクセル操作量ＡＣＣＰがアクセル判定値αを超えており、かつブレーキ操作量Ｂがブレーキ判定値βを超えているとの条件が満たされるときには（図８に示す時刻ｔ３）、上述したディレイ処理の実行を省略して、直ちに上記徐変処理を実行するようにしてもよい。この場合でも、上述したステップＳ１２０の処理で車速ＳＰに基づく減少量ＲＥの可変設定を行うことにより、上記（２）以外の効果を得ることができる。
【００９６】
・図９に示すように、アクセル操作量ＡＣＣＰがアクセル判定値αを超えており、かつブレーキ操作量Ｂがブレーキ判定値βを超えているとの条件が満たされるときには（図９に示す時刻ｔ３）、上述したディレイ処理を開始する。そして、ディレイ処理の実行が終了した時点で（図９の時刻ｔ４）、上記駆動力抑制処理を実行するようにしてもよい。つまり、上記徐変処理を省略してもよい。この場合でも、上述したステップＳ１２０の処理で車速ＳＰに基づくディレイ時間ＤＬの可変設定を行うことにより、上記（３）以外の効果を得ることができる。
【００９７】
・駆動力抑制処理の実行に際しては、目標駆動力Ｐが上記駆動力制限値ＰＬを超えないように制限したが、この他の態様で駆動力を抑えるようにしてもよい。例えば、駆動力抑制処理の実行中は、常に目標駆動力Ｐを減少補正するようにしてもよい。
【００９８】
・上記実施形態における車両は、原動機としてエンジン及びモータを備えるハイブリッド車両であった。この他、原動機としてモータのみを備える車両においても上記ブレーキオーバーライドシステムと同様なシステムを適用することができる。この場合には、モータに対する要求駆動力として上記目標駆動力Ｐを適用すればよい。
【００９９】
また、原動機としてエンジンのみを備える車両においても上記ブレーキオーバーライドシステムを同様なシステムを適用することができる。こうしたエンジンのみを備える車両においては、アクセル操作量ＡＣＣＰに応じてスロットルバルブ２１の開度が調整されることにより駆動力が調整される。従って、スロットルバルブ２１の開度制限を行うことにより、駆動力を抑制する駆動力抑制処理を実行することが可能である。
【０１００】
例えば、実際のアクセル操作量ＡＣＣＰと各種機関制御によって算出された要求アクセル操作量とを比較し、最も大きい値、あるいは最も小さい値を制御アクセル操作量ＡＣＣＰＣＮとして設定する。そして、その制御アクセル操作量ＡＣＣＰＣＮに応じてスロットルバルブ２１の目標開度を設定する場合には、図１０に示すように、上記目標駆動力Ｐに相当する値として、制御アクセル操作量ＡＣＣＰＣＮを利用し、駆動力の徐変処理では制御アクセル操作量ＡＣＣＰＣＮの値を、上記減少量ＲＥに相当する値にて徐々に小さくする。また、上記駆動力制限値ＰＬに相当する値として、制御アクセル操作量ＡＣＣＰＣＮの最大値を制限するアクセル制限値ＡＬを設ける。この場合でも、上記実施形態に準じた作用効果を得ることができる。
【０１０１】
また、アクセル操作量ＡＣＣＰの値をそのままスロットルバルブ２１の目標開度である目標スロットル開度ＴＡｐに反映する場合には、図１１に示すように、上記目標駆動力Ｐに相当する値として、目標スロットル開度ＴＡｐを利用し、駆動力の徐変処理では目標スロットル開度ＴＡｐを、上記減少量ＲＥに相当する値にて徐々に小さくする。また、上記駆動力制限値ＰＬに相当する値として、目標スロットル開度ＴＡｐの最大値を制限するスロットル制限値ＴＡＬを設ける。この場合でも、上記実施形態に準じた作用効果を得ることができる。
【０１０２】
・上記徐変処理では、目標駆動力Ｐを減少量ＲＥづつ低下させるようにしたが、この他の態様で駆動力を徐々に低下させてもよい。要は、アクセルペダル８とブレーキペダル１３とが同時に操作された時点での車速ＳＰが低いときほど、徐変処理の実行中における単位時間当たりの駆動力の低下量が多くなるようにすれば、上記各実施形態と同様な作用効果を得ることができる。
【０１０３】
・上記ディレイ処理は、アクセルペダル８及びブレーキペダル１３の同時操作が偶発的な操作によるものなのか、運転者の意図した操作によるものなのかを判定するために行うようにしたが、その他の目的でディレイ処理を行う場合でも、上記態様でディレイ時間ＤＬを可変設定することにより、上記各実施形態と同様な作用効果を得ることができる。
【０１０４】
・第２実施形態で説明したステップＳ２３０の処理において、ディレイ時間ＤＬとして上記最大ディレイ時間ＤＬｍａｘを設定するとともに、減少量ＲＥとして上記最小減少量ＲＥｍｉｎよりも多い量を設定してもよい。この場合でも、最大ディレイ時間ＤＬｍａｘとして十分に長い時間を設定することにより、アクセルペダル８とブレーキペダル１３とが同時に操作されてから駆動力抑制処理が開始されるまでの時間を、上記可変処理を実行したときに得られる最大時間以上の時間にすることができる。また、同ステップＳ２３０の処理において、ディレイ時間ＤＬとして上記最大ディレイ時間ＤＬｍａｘよりも短い時間を設定するとともに、減少量ＲＥとして上記最小減少量ＲＥｍｉｎを設定してもよい。この場合でも、最小減少量ＲＥｍｉｎとして十分に少ない量を設定することにより、アクセルペダル８とブレーキペダル１３とが同時に操作されてから駆動力抑制処理が開始されるまでの時間を、上記可変処理を実行したときに得られる最大時間以上の時間にすることができる。
【０１０５】
・第２実施形態で説明したステップＳ２５０の処理において、ディレイ時間ＤＬとして上記最小ディレイ時間ＤＬｍｉｎを設定するとともに、減少量ＲＥとして上記最大減少量ＲＥｍａｘよりも少ない量を設定してもよい。この場合でも、最小ディレイ時間ＤＬｍｉｎとして十分に短い時間を設定することにより、アクセルペダル８とブレーキペダル１３とが同時に操作されてから駆動力抑制処理が開始されるまでの時間を、上記可変処理を実行したときに得られる最小時間以下の時間にすることができる。また、同ステップＳ２５０の処理において、ディレイ時間ＤＬとして上記最小ディレイ時間ＤＬｍｉｎよりも長い時間を設定するとともに、減少量ＲＥとして上記最大減少量ＲＥｍａｘを設定してもよい。この場合でも、最大減少量ＲＥｍａｘとして十分に多い量を設定することにより、アクセルペダル８とブレーキペダル１３とが同時に操作されてから駆動力抑制処理が開始されるまでの時間を、上記可変処理を実行したときに得られる最小時間以下の時間にすることができる。
【０１０６】
・第２実施形態において、図７に示したステップＳ２４０及びステップＳ２５０の処理を省略する。そして、図７のステップＳ２２０にて否定判定されるときには、先の図３に示したステップＳ１２０以降の処理を実行するようにしてよい。つまり、車間距離Ｄが第２判定値Ｄ２以下であったときの一連の処理を省略してもよい。この場合でも、上記（５）以外の効果を得ることができる。
【０１０７】
・第２実施形態において、図７に示したステップＳ２２０及びステップＳ２３０の処理を省略する。そして、図７のステップＳ２１０の処理を行った後は、ステップＳ２４０以降の処理を実行するようにしてよい。つまり、車間距離Ｄが第１判定値Ｄ１以上であったときの一連の処理を省略してもよい。この場合でも、上記（４）以外の効果を得ることができる。
【０１０８】
・上記実施形態では、アクセルペダル８の踏み込みを通じてアクセル操作を行うようにしたが、ペダルの踏み込み以外の操作を通じてアクセル操作を行うようにしてもよい。アクセルペダル８以外のアクセル操作部材としては、例えば、ステアリングホイール付近やインストルメントパネルなどに設けられるレバー状の操作部材など、手を使って操作するものがある。同様に、ブレーキペダル１３の踏み込みを通じてブレーキ操作を行うようにしたが、ペダルの踏み込み以外の操作を通じてブレーキ操作を行うようにしてもよい。ブレーキペダル１３以外のブレーキ操作部材としては、例えば、ステアリングホイール付近やインストルメントパネルなどに設けられるレバー状の操作部材など、手を使って操作するものがある。
【符号の説明】
【０１０９】
１…エンジン、２…動力分割機構、３…駆動軸、４…第１モータジェネレータ、５…第２モータジェネレータ、６…バッテリ、７…インバータ、８…アクセルペダル、９…アクセルポジションセンサ、１０…車速センサ、１１…車輪、１２…ブレーキ装置、１３…ブレーキペダル、１４…ブレーキセンサ、１５…電子制御装置、２０…吸気通路、２１…スロットルバルブ、３０…計測部。
【図１】
2014122725.tif 000003
【図２】
2014122725.tif 000004
【図３】
2014122725.tif 000005
【図４】
2014122725.tif 000006
【図５】
2014122725.tif 000007
【図６】
2014122725.tif 000008
【図７】
2014122725.tif 000009
【図８】
2014122725.tif 000010
【図９】
2014122725.tif 000011
【図１０】
2014122725.tif 000012
【図１１】
2014122725.tif 000013
【国際調査報告】
2014122725.tif 000014
2014122725.tif 000015
2014122725.tif 000016
2014122725.tif 000017